(57)【要約】      （修正有）【課題】発酵槽の容量を出来るだけ大きくしつつ装置全体の小型化を図ると共に、槽内の有機ゴミを満遍なく撹拌できる有機ゴミ処理装置を提供する。【解決手段】内部に有機ゴミとそれを分解する好気性微生物が収容される直方体形状の発酵槽７と、発酵槽７の底部に発酵槽７の長手方向に間隔を隔てて短手方向に複数配設された回転シャフト８と、各回転シャフト８に夫々取り付けられた撹拌アーム９と、発酵槽７の側方に長手方向に間隔を隔てて配置され、回転シャフト８を回転駆動する駆動機構１０と、駆動機構１０の上方に、発酵槽７の長手方向に間隔を隔てて配置された吸気ブロワ１１および排気ブロワ１２と、吸気ブロワ１１から吸入された外部の空気を加熱して発酵槽７に導入する吸気加熱機構と、排気ブロワ１２によって排出される発酵槽７の内部の空気から粉塵を除去して消臭する排気消臭機構とを備えている。【選択図】図３
0003216051.tif 000002
【実用新案登録請求の範囲】
【請求項１】
内部に生ゴミや野菜屑などの有機ゴミと有機ゴミを分解する好気性微生物が収容される直方体形状の発酵槽と、
該発酵槽の底部に前記発酵槽の長手方向に間隔を隔てて前記発酵槽の短手方向に架け渡された複数の回転シャフトと、
これら回転シャフトに夫々取り付けられ、前記回転シャフトの回転に伴って前記有機ゴミを撹拌する撹拌アームと、
前記発酵槽の外部の片側に前記発酵槽の長手方向に間隔を隔てて複数配置され、前記回転シャフトを夫々回転駆動する駆動機構と、
該駆動機構の上方かつ前記発酵槽の側方に、前記発酵槽の長手方向に間隔を隔てて配置された吸気ブロワおよび排気ブロワと、
前記吸気ブロワから吸入された外部の空気を加熱して前記発酵槽の内部に導入する吸気加熱機構と、
前記排気ブロワによって排出される前記発酵槽の内部の空気から粉塵を除去して消臭した後に外部に排気する排気消臭機構とを備えた、ことを特徴とする有機ゴミ処理装置。
【請求項２】
前記発酵槽の底面に、前記回転シャフトを夫々回転させた際に前記撹拌アームの回転軌跡と干渉しない領域に位置して、前記撹拌アームの回転軌跡に僅かなクリアランスを隔てて形成された隆起部が、発酵槽の長手方向に間隔を隔てて発酵槽の短手方向に沿って複数設けられ、
前記発酵槽の長手方向の側面に、前記隆起部の高さに合わせて、前記発酵槽内の処理済みの有機ゴミを排出するための排出口が形成され、
前記回転シャフトを全て一方向に回転することで、前記発酵槽内の処理済みの有機ゴミが前記各隆起部を乗り越えて前記発酵槽内の長手方向の一方に移送され、前記発酵槽の端部の隆起部に乗り上がって前記排出口から排出される、
ことを特徴とする請求項１に記載の有機ゴミ処理装置。
【請求項３】
前記隆起部の内部に、前記発酵槽内の有機ゴミを加熱するためのヒーターが設けられた、ことを特徴とする請求項２に記載の有機ゴミ処理装置。
【請求項４】
前記吸気ブロワによって外部の空気を前記発酵槽の内部に導入する空気流入孔と、前記排気ブロワによって前記発酵槽の内部の空気を排出する空気排出孔とが、前記発酵槽の対角の位置に配設された、ことを特徴とする請求項１から３の何れか１項に記載の有機ゴミ処理装置。
【考案の詳細な説明】
【技術分野】
【０００１】
本考案は、生ゴミや野菜屑などの有機ゴミを好気性微生物によって分解し、有機肥料に変換する有機ゴミ処理装置に関する。
【背景技術】
【０００２】
生ゴミ処理機として、台所やキッチンで排出された生ゴミを好気性微生物によって分解処理する家庭用タイプが知られている（特許文献１、２参照）。
【０００３】
この種の家庭用の生ゴミ処理機は、生ゴミが好気性微生物と共に投入される発酵槽と、発酵槽内の生ゴミを撹拌する撹拌アームと、撹拌アームを回転駆動する駆動機構と、好気性微生物への空気供給のため発酵槽内に外部の空気を導入する吸気機構と、好気性微生物が生ゴミを分解することで生じた水蒸気および二酸化炭素を発酵槽内から外部へ排出する排気機構とを備えている。
【０００４】
このような家庭用の生ゴミ処理機によれば、家庭の台所やキッチンで排出された生ゴミは、発酵槽内にて撹拌アームによって撹拌して好気性微生物と混合されることで、好気性微生物によって発酵分解（酸化分解）され、有機肥料（堆肥）に変換される。また、発酵に必要な空気は吸気機構によって発酵槽内に供給され、発酵の際に生じた熱が好気性微生物を活性化させる熱源となり、発酵によって生じた水蒸気および二酸化炭素が排気機構から排出される。
【先行技術文献】
【特許文献】
【０００５】
【特許文献１】特開２００４−３１３９３１号公報
【特許文献２】特開２００４−１２１９９１号公報
【考案の概要】
【考案が解決しようとする課題】
【０００６】
ところで、上述したように、家庭用の生ゴミ処理機は種々のタイプの開発販売が行われているが、容量の大きな業務用の生ゴミ処理装置の開発は、家庭用のものほどは進んでいない。
【０００７】
業務用の生ゴミ処理装置においては、発酵槽には家庭からの生ゴミの他、畑の野菜屑、食品等の製造工程で生じる野菜かす、醸造かす、魚や獣のあら等などの有機ゴミが投入されるため、発酵槽の容量（サイズ）が家庭用のものよりも遙かに大きくなる。このため、発酵槽、撹拌アーム、駆動機構、吸気機構、排気機構の形状や配置を工夫しないと、装置全体が大型化してしまい、装置の搬送や設置に問題が生じる。よって、発酵槽の容量を出来るだけ大きくしつつ、各構成要素の配置を工夫することで、装置全体の小型化を図った業務用の有機ゴミ処理装置の開発が望まれている。
【０００８】
また、容量が大きいな発酵槽においては、槽内に投入された有機ゴミを撹拌アームによって満遍なく全ての領域において撹拌しなければならない点に注意を払う必要がある。撹拌されていない有機ゴミは、好気性微生物と接触混合されないため良好に分解されず、好気性微生物の活動が低下し、代わりに嫌気性微生物の活動が活発となって、異臭が発生する原因となるからである。よって、容量が大きな発酵槽であっても、槽内の有機ゴミを満遍なく全ての領域において適切に撹拌することができる業務用の有機ゴミ処理装置の開発が望まれている。
【０００９】
以上の事情を考慮して創案された本考案の目的は、発酵槽の容量を出来るだけ大きくしつつ、各構成要素の配置を工夫することで装置全体の小型化を図ると共に、槽内の有機ゴミを満遍なく全ての領域において適切に撹拌することができる有機ゴミ処理装置を提供することにある。
【課題を解決するための手段】
【００１０】
上記目的を達成するために創案された本考案によれば、内部に生ゴミや野菜屑などの有機ゴミと有機ゴミを分解する好気性微生物が収容される直方体形状の発酵槽と、発酵槽の底部に発酵槽の長手方向に間隔を隔てて発酵槽の短手方向に架け渡された複数の回転シャフトと、これら回転シャフトに夫々取り付けられ、回転シャフトの回転に伴って有機ゴミを撹拌する撹拌アームと、発酵槽の外部の片側に発酵槽の長手方向に間隔を隔てて複数配置され、各回転シャフトを夫々回転駆動する駆動機構と、駆動機構の上方かつ発酵槽の側方に、発酵槽の長手方向に間隔を隔てて配置された吸気ブロワおよび排気ブロワと、吸気ブロワから吸入された外部の空気を加熱して発酵槽の内部に導入する吸気加熱機構と、排気ブロワによって排出される発酵槽の内部の空気から粉塵を除去して消臭した後に外部に排気する排気消臭機構とを備えた、ことを特徴とする有機ゴミ処理装置が提供される。
【００１１】
本考案に係る有機ゴミ処理装置においては、発酵槽の底面に、回転シャフトを夫々回転させた際に撹拌アームの回転軌跡と干渉しない領域に位置して、撹拌アームの回転軌跡に僅かなクリアランスを隔てて形成された隆起部が、発酵槽の長手方向に間隔を隔てて発酵槽の短手方向に沿って複数設けられ、発酵槽の長手方向の側面に、隆起部の高さに合わせて、発酵槽内の処理済みの有機ゴミを排出するための排出口が形成され、回転シャフトを全て一方向に回転することで、発酵槽内の処理済みの有機ゴミが各隆起部を乗り越えて発酵槽内の長手方向の一方に移送され、発酵槽の端部の隆起部に乗り上がって排出口から排出される、ようになっていてもよい。
【００１２】
本考案に係る有機ゴミ処理装置においては、隆起部の内部に、発酵槽内の有機ゴミを加熱するためのヒーターが設けられていてもよい。
【００１３】
本考案に係る有機ゴミ処理装置においては、吸気ブロワによって外部の空気を発酵槽の内部に導入する空気流入孔と、排気ブロワによって発酵槽の内部の空気を排出する空気排出孔とが、発酵槽の対角の位置に配設されていてもよい。
【考案の効果】
【００１４】
本考案に係る有機ゴミ処理装置によれば、次の如き効果を発揮できる。
（１）直方体形状の発酵槽の底部に、発酵槽の短手方向に架け渡された回転シャフトを発酵槽の長手方向に間隔を隔てて複数設け、これら回転シャフトに有機ゴミを撹拌する撹拌アームを取り付けたので、各回転シャフトを駆動機構によって回転させることで、大容量の発酵槽であっても、槽内の有機ゴミを全ての領域において満遍なく撹拌することができる。よって、大容量の発酵槽内の全ての有機ゴミが好気性微生物と良好に接触混合し、有機ゴミが好気性微生物によって発酵分解されないことによる異臭の発生を抑制できる。
（２）直方体形状の発酵槽の外部の片側に、発酵槽の長手方向に間隔を隔てて、各回転シャフトを夫々回転駆動する駆動機構を複数配置し、これら駆動機構の上方かつ発酵槽の側方に、発酵槽の長手方向に間隔を隔てて吸気ブロワおよび排気ブロワを配置したので、直方体形状の発酵槽の容量を出来るだけ大きくしつつ、装置全体の形状を略直方体形状として小型化を図ることができる。よって、大容量の発酵槽を備えていても、装置の搬送性や設置性が良好となり、例えば、２０フィートコンテナに収容して搬送可能となる。
（３）吸気ブロワから吸入された外部の空気を吸気加熱機構によって加熱して発酵槽の内部に導入しているので、例えば外気温度が低い冬期などにおいても、発酵槽内の温度が好気性微生物による発酵に必要な温度以下に低下する事態を回避できる。よって、有機ゴミの適切な発酵分解を保持でき、悪臭の発生を抑制できる。
（４）排気ブロワにより排出される発酵槽の内部の空気から排気消臭機構によって粉塵を除去し消臭した後に外部に排気するようにしているので、悪臭の排出を抑制できる。また、発酵によって生じた水蒸気および二酸化炭素を発酵槽の外部に排出できるので、発酵槽内の温度、湿度、酸素濃度を発酵に好適な状態に保持できる。
【図面の簡単な説明】
【００１５】
【図１】本考案の一実施形態に係る有機ゴミ処理装置の斜視図である。
【図２】図１の有機ゴミ処理装置から外板パネルを取り外したパネルレス有機ゴミ処理装置（以下パネルレス装置）の斜視図である。
【図３】図２のパネルレス装置を反対側から見た斜視図である。
【図４】図３のパネルレス装置を上方から見た平面図である。
【図５】図４のパネルレス装置の吸気の流れ、排気の流れを示す説明図である。
【図６】図５のパネルレス装置のVI−VI線断面図である。
【考案を実施するための形態】
【００１６】
以下に添付図面を参照しながら、本考案の好適な実施形態について詳細に説明する。なお、本明細書及び図面において、実質的に同一の機能、構成を有する要素については、同一の符号を付することにより重複説明を省略し、また本考案に直接関係のない要素は図示を省略する。
【００１７】
（有機ゴミ処理装置１の外観）
図１に示す本考案の一実施形態に係る有機ゴミ処理装置１は、生ゴミ等の有機ゴミを好気性微生物を利用して２４時間程度処理することで、有機肥料（堆肥）に変換するものである。なお、有機ゴミとは、家庭からの生ゴミの他、畑の野菜屑、食品等の製造工程で生じる野菜かす、醸造かす、魚や獣のあら等をいう。
【００１８】
図１に示すように、有機ゴミ処理装置１の外観は、略直方体形状を呈する。装置１の上面の左側には、有機ゴミの投入口２が設けられており、投入口２には蓋板３が開閉自在に設けられている。装置１の正面の左側には、有機ゴミが収容されたゴミ箱をリフトし、ゴミ箱内の有機ゴミを投入口２に投入するためのリフター４が設けられている。装置１の右側面の下部には、処理された有機ゴミ（有機肥料）を排出する排出口５が設けられており、排出口５には、蓋板６が開閉自在に設けられている。
【００１９】
この有機ゴミ処理装置１は、家庭用ではなく業務用のものであり、２０フィートサイズのコンテナ内に収容されるように、略直方体形状の外形が２０フィートコンテナの内寸に合わせたサイズとなっている。具体的には、本実施形態に係る有機ゴミ処理装置１の外形のサイズは、長さ５７４０ｍｍ、幅２２４０ｍｍ、高さ２０５０ｍｍである。なお、この寸法は、一例であり、限定されるものでない。
【００２０】
（有機ゴミ処理装置１の内部機構）
図２に、図１の有機ゴミ処理装置１から外板パネルを取り外したパネルレス装置１ａの斜視図を示し、図３に、図２のパネルレス装置１ａを反対側から見た斜視図を示し、図４に、図３のパネルレス装置１ａを上方から見た平面図を示す。
【００２１】
図２〜図４に示すように、本実施形態に係る有機ゴミ処理装置１（パネルレス装置１ａ）は、内部に生ゴミや野菜屑などの有機ゴミと有機ゴミを分解する好気性微生物が収容される直方体形状の発酵槽７と、発酵槽７の底部に発酵槽７の長手方向に間隔を隔てて発酵槽７の短手方向に架け渡された複数の回転シャフト８と、これら回転シャフト８に夫々取り付けられ、回転シャフト８の回転に伴って有機ゴミを撹拌する撹拌アーム９と、発酵槽７の外部の片側に発酵槽７の長手方向に間隔を隔てて複数配置され、各回転シャフト８を夫々回転駆動する駆動機構１０とを備えている。
【００２２】
また、この有機ゴミ処理装置１は、発酵槽７に対する吸気および排気の流れを表す図５に示すように、駆動機構１０の上方かつ発酵槽７の側方に、発酵槽７の長手方向に間隔を隔てて配置された吸気ブロワ１１および排気ブロワ１２と、吸気ブロワ１１から吸入された外部の空気を加熱して発酵槽７の内部に導入する吸気加熱機構１３と、排気ブロワ１２によって排出される発酵槽７の内部の空気から粉塵を除去して消臭した後に外部に排気する排気消臭機構１４とを備えている。以下、各構成要素について説明する。
【００２３】
（発酵槽７）
図２、図３に示すように、発酵槽７は、上方が開口された直方体形状に形成されており、その内部に有機ゴミおよびそれを分解する好気性微生物が収容される容器である。発酵槽７は、有機ゴミ処理装置１のベース板となる長方形の基板１５の上に設置されている。本実施形態に係る発酵槽７の外形サイズは、長さ５０２６ｍｍ、幅１５７６ｍｍ、高さ１６１８ｍｍとなっている。なお、この寸法は、一例であり、限定されるものでない。
【００２４】
図６に示すように、発酵槽７の開口には、天井板１６が装着される。天井板１６には、有機ゴミを発酵槽７内に投入するための投入口２が形成されている。投入口２には、蓋板３が開閉自在に設けられている。発酵槽７の長手方向の側板の底部には、処理された有機ゴミを排出する排出口５が設けられている。排出口５は、蓋板６が開閉自在に設けられている。
【００２５】
（好気性微生物）
図２〜図３に示す発酵槽７には、有機ゴミを分解するための好気性微生物が、粒状の担体に担持された状態で収容される。担体は、おがくずや木質チップ等から粒状に形成されている。担体に担持される好気性微生物には、例えば、真正細菌類としては馬鈴薯菌、枯草菌、セルロース菌、プソイドモナス類としては硝酸菌、硫黄細菌等が用いられる。有機ゴミは、これらの好気性微生物によって発酵分解（酸化分解）されて発熱し、この熱は、担体の温度を上昇させ、微生物の活性環境を保つための熱源となる。
【００２６】
（回転シャフト８）
図３、図４に示すように、直方体形状の発酵槽７の底部には、発酵槽７の短手方向に架け渡された回転シャフト８が、発酵槽７の長手方向に間隔を隔てて複数設けられている。本実施形態においては、回転シャフト８は、５本設けられているが、発酵槽７のサイズに応じた本数（２本以上）が設けられる。
【００２７】
（撹拌アーム９）
図４に示すように、各回転シャフト８には、発酵槽７内の有機ゴミを撹拌するための撹拌アーム９が、回転シャフト８の長手方向に間隔を隔てて、回転シャフト８の周方向に位相をずらして複数取り付けられている。本実施形態においては、撹拌アーム９は、各回転シャフト８の夫々に６本ずつ取り付けられているが、２本以上であれば何本でもよい。
【００２８】
（駆動機構１０）
図３に示すように、装置１の基板１５には、直方体形状の発酵槽７の外部の片側に、発酵槽７の長手方向に間隔を隔てて、各回転シャフト８を夫々回転駆動する駆動機構１０が複数配設されている。本実施形態においては、回転シャフト８の数が５本であるので、駆動機構１０の数も５台である。各駆動機構１０は、図４にも示すように、駆動源としての油圧モーター１７と、モーター１７の出力シャフトの回転速度を減速する減速ギヤボックス１８と、減速ギヤボックス１８の出力シャフトに取り付けられたピニオン１９と、撹拌アーム９の回転シャフト８に取り付けられた大径ギヤ２０と、大径ギヤ２０とピニオン１９とに巻き掛けられたチェーン（図示省略）とを備えている。
【００２９】
（吸気ブロワ１１、排気ブロワ１２）
図３に示すように、装置１の基板１５には、駆動機構１０を囲むようにして、吸気ブロワ１１および排気ブロワ１２が載置されるブロワフレーム２１が配設されている。ブロワフレーム２１には、発酵槽７内に空気を供給する２台の吸気ブロワ１１、発酵槽７内の空気を排出する４台の排気ブロワ１２、駆動機構１０の各油圧モーター１７に油圧を供給する１台の油圧ポンプ２２が、列状に配設されている。
【００３０】
すなわち、吸気ブロワ１１、排気ブロワ１２、油圧ポンプ２２は、駆動機構１０の上方かつ発酵槽７の側方に、発酵槽７の長手方向に間隔を隔てて列状に配置されている。これにより、装置１のコンパクト化を図る事ができる。なお、吸気ブロワ１１の台数、排気ブロワ１２の台数は、上記台数に限られず、夫々１台以上であればよい。
【００３１】
（吸気加熱機構１３）
図５に示すように、吸気ブロワ１１には、吸気ブロワ１１から吸入された外部の空気を加熱して発酵槽７の内部に導入する吸気加熱機構１３が接続されている。吸気加熱機構１３によって加熱された空気は、発酵槽７内にて撹拌アーム９で撹拌される有機ゴミを乾燥させると共に、外気温度が低い冬期（厳冬期）等においても槽７内の温度を好気性微生物が活性化する温度に保つ機能を発揮する。吸気加熱機構１３は、吸気ブロワ１１から吸入された外部の空気を加熱する吸気ヒーター２３と、吸気ヒーター２３で加熱された空気を発酵槽７の内部に導入する空気流入ダクト２４（空気流入孔）とを備えている。
【００３２】
吸気ブロワ１１と吸気ヒーター２３、吸気ヒーター２３と空気流入ダクト２４は、夫々配管で接続されている。吸気ヒーター２３は、吸気ブロワ１１からの空気が導入される吸気ボックス２５と、吸気ボックス２５に収容された棒状の電気ヒーター２６とを備えている。空気流入ダクト２４には、吸気温度センサーが取り付けられている。吸気ボックス２５は、発酵槽７の側方の長手方向の端部に、吸気ブロワ１１と並ぶようにして配設されている。これにより、図１に示すように、装置全体を略直方体形状にコンパクトに纏めることができる。
【００３３】
（排気消臭機構１４）
図５に示すように、排気ブロワ１２には、排気ブロワ１２によって排出される発酵槽７の内部の空気から粉塵を除去して消臭した後に外部に排気する排気消臭機構１４が接続されている。排気消臭機構１４は、発酵槽７から排出される排気から臭いを除去すると共に、槽７内にて発酵によって生じた水蒸気や二酸化炭素を除去する機能を発揮する。
【００３４】
排気消臭機構１４は、発酵槽７の内部の空気を排出する空気排出ダクト２７（空気排出口）と、空気排出ダクト２７から排出された空気を旋回させて粉塵を除去する粉塵フィルター２８と、粉塵フィルター２８から排出された空気が導入され洗浄液によって更に細かな粉塵および臭いを除去する消臭水槽２９（スクラバー）と、スクラバー２９から排出され排気ブロワ１２を通過した空気を活性炭によって異臭を除去する活性炭ボックス３０と、脱臭された空気を活性炭ボックス３０から排出する排気筒３１とを備えている。
【００３５】
空気排出ダクト２７と粉塵フィルター２８、粉塵フィルター２８とスクラバー２９、スクラバー２９と排気ブロワ１２、排気ブロワ１２と活性炭ボックス３０は、夫々配管で接続されている。空気排出ダクト２７の近傍には、排気温度センサー３２が取り付けられている。活性炭ボックス３０とスクラバー２９とは、上下二段に重ねられ、図３に示すように、消臭装置３３として一体的に構成されている。消臭装置３３は、図３、図４に示すように、発酵槽７の側方の長手方向の端部に、駆動機構１０の減速ギヤボックス１８と並ぶようにして配設されている。これにより、図１に示すように、装置１全体を略直方体形状にコンパクトに纏めることができる。
【００３６】
図５に示すように、吸気ブロワ１１によって外部の空気を発酵槽７の内部に導入する空気流入ダクト２４（空気流入孔）と、排気ブロワ１２によって発酵槽７の内部の空気を排出する空気排出ダクト２７（空気排出孔）とは、発酵槽７の対角の位置に配設されている。これにより、空気流入孔２４から発酵槽７内に導入された空気は、槽７内を対角線の方向に流れ、その途中で撹拌アーム９の回転により生じた風によって有機ゴミおよび好気性微生物と適切に混合されて好気性微生物に供給されることになり、未混合の状態で空気排出孔２７から排出されてしまう事態を防止できる。
【００３７】
（制御盤３４）
図３、図４に示すように、発酵槽７の長手方向の端部には、制御盤３４が配設されている。制御盤３４は、駆動機構１０のモーター１７の回転のオンオフ、回転速度、回転方向、吸気ブロワ１１および排気ブロワ１２の回転速度、吸気ヒーター２３（図５参照）の温度などをコントロールする。
【００３８】
例えば、駆動機構１０のモーター１７は、制御盤３４によって、全て同方向に５分間（第１所定時間）回転された後、全て逆方向に５分間（第２所定時間）回転され、１０分間（第３所定時間）停止される。５分間の正回転および逆回転によって発酵槽７内の有機ゴミが好気性微生物と良好に撹拌され、１０分間の停止の間に有機ゴミが好気性微生物によって適切に発酵分解（酸化分解）される。なお、隣り合う各モーター１７の回転方向を互いに逆方向としてもよい。
【００３９】
また、制御盤３４は、図５に示す排気温度センサー３２の出力値が６０〜６５℃（好気性微生物が活性化する温度範囲）となるように、吸気ブロワ１１および排気ブロワ１２の回転速度、吸気ヒーター２３（電気ヒーター２６）の温度を制御する。これにより、季節に応じた外気温度の変動や発酵槽７内に投入される有機ゴミの含水率の高低に拘わらず、発酵槽７の内部が好気性微生物の活性に好適な温度に保持される。
【００４０】
（隆起部３５）
図５のVI−VI線断面図である図６に示すように、発酵槽７の底面には、回転シャフト８を夫々回転させた際に撹拌アーム９の回転軌跡９ａと干渉しない領域に、隆起部３５が設けられている。隆起部３５は、撹拌アーム９の回転軌跡９ａに僅かなクリアランスを隔てた山型に形成されており、発酵槽７の長手方向に間隔を隔てて発酵槽７の短手方向に沿って複数設けられている（図４参照）。なお、山型の隆起部３５の斜面形状は、本実施形態にように撹拌アーム９の回転軌跡９ａの接線方向に沿った平面に限られず、撹拌アーム９の回転軌跡９ａに沿った凹状湾曲面でもよい。
【００４１】
隆起部３５は、発酵槽７内において、撹拌アーム９により撹拌できない領域を無くすために設けられる。撹拌されない有機ゴミは、好気性微生物と接触混合されないため良好に分解されず、好気性微生物の活動が低下し、代わりに嫌気性微生物の活動が活発となって、異臭が発生する原因となる。本実施形態では、発酵槽７の底面に、回転する撹拌アーム９が届かない領域を埋めるように隆起部３５が配設されているので、発酵槽７内の全ての領域の有機ゴミを撹拌アーム９によって適切に撹拌できる。
【００４２】
図６に示すように、発酵槽７の長手方向の側面には、隆起部３５の高さに合わせて、発酵槽７内の処理済みの有機ゴミ（有機肥料）を排出するための排出口５が形成されている（図３参照）。この構成によれば、各回転シャフト８を全て一方向（図６の時計方向）に回転することで、発酵槽７内の処理済みの有機ゴミが各隆起部３５を乗り越えて発酵槽７内の長手方向の一方（図６の左方）に移送され、発酵槽７の端部の隆起部３５に乗り上がって排出口５から排出されることになる。すなわち、隆起部３５は、発酵槽７内の処理済みの有機ゴミ（有機肥料）を、撹拌アーム９を回転させることによって残さず排出口５から排出するためのガイド部材としても機能する。
【００４３】
（ヒーター３６）
図６に示すように、隆起部３５の内部には、発酵槽７内の有機ゴミを加熱するためのヒーター３６が設けられている。ヒーター３６は、発酵槽７内に投入された有機ゴミの含水率が非常に高い場合など、吸気ヒーター２３および発酵熱のみでは槽７内の温度を好気性微生物が活性化する温度まで上げられないとき、槽７内を加熱するものである。ヒーター３６は、制御盤３４によって、吸気ブロワ１１、排気ブロワ１２、吸気ヒーター２３と共に、排気温度センサー３２の出力値が６０〜６５℃（好気性微生物が活性化する温度範囲）となるように、制御される。
【００４４】
ヒーター３６は、回転する撹拌アーム９によって撹拌できない発酵槽７の底面に、すなわち、槽容量として実質的には寄与することができないデッドスペースに配設されている。よって、槽７内にヒーター３６を設けたことによる発酵槽７の容量ダウンは生じず、業務用の有機ゴミ処理装置１として槽容量を最大限に拡大できる。また、撹拌アーム９の回転によって槽内の有機ゴミが隆起部３５の表面に押し付けられて滑るので、隆起部３５内に設けられたヒーター３６の熱を効率よく有機ゴミに伝達できる。
【００４５】
（作用・効果）
以上の如く説明した本実施形態に係る有機ゴミ処理装置１によれば、図３、図４に示すように、直方体形状の発酵槽７の底部に、発酵槽７の長手方向に間隔を隔てて、発酵槽７の短手方向に架け渡された回転シャフト８を複数設け、これら回転シャフト８に有機ゴミを撹拌する撹拌アーム９を取り付けたので、各回転シャフト８を駆動機構１０によって回転させることで、大容量の発酵槽７であっても、槽内の有機ゴミを全ての領域において満遍なく撹拌することができる。よって、大容量の発酵槽７内の全ての有機ゴミが好気性微生物と良好に接触混合し、有機ゴミが好気性微生物によって発酵分解されないことによる異臭の発生を抑制できる。
【００４６】
図３に示すように、直方体形状の発酵槽７の外部の片側に、発酵槽７の長手方向に間隔を隔てて、各回転シャフト８を夫々回転駆動する駆動機構１０を複数配置し、これら駆動機構１０の上方かつ発酵槽７の側方に、発酵槽７の長手方向に間隔を隔てて吸気ブロワ１１および排気ブロワ１２を配置したので、直方体形状の発酵槽７の容量を出来るだけ大きくしつつ、装置１全体の形状を略直方体形状として小型化を図ることができる。よって、大容量の発酵槽７を備えていても、装置１の搬送性や設置性が良好となり、例えば、２０フィートコンテナに収容して搬送可能となる。
【００４７】
図５に示すように、吸気ブロワ１１から吸入された外部の空気を吸気加熱機構１３によって加熱して発酵槽７の内部に導入しているので、例えば例えば外気温度が低い冬期（厳冬期）などにおいても、発酵槽７内の温度が好気性微生物による発酵に必要な温度以下に低下する事態を回避できる。よって、有機ゴミの適切な発酵分解を保持でき、悪臭の発生を抑制できる。
【００４８】
図５に示すように、排気ブロワ１２により排出される発酵槽７の内部の空気から排気消臭機構１４によって粉塵を除去し消臭した後に外部に排気するようにしているので、悪臭の排出を抑制できる。また、発酵によって生じた水蒸気および二酸化炭素を発酵槽７の外部に排出できるので、発酵槽７内の温度、湿度、酸素濃度を発酵に好適な状態に保持できる。
【００４９】
図６に示すように、発酵槽７の底面に攪拌アーム９の回転軌跡９ａと干渉しない領域を埋めるようにして隆起部３５を設けたので、発酵槽７内の全ての有機ゴミを適切に攪拌できる。また、発酵槽７の長手方向の側面に、隆起部３５の高さに合わせて排出口５を設けたので、各回転シャフト８を全て一方向（図６の時計方向）に回転することで、発酵槽７内の処理済みの有機ゴミを排出口５から適切に排出できる。この際、隆起部３５は、発酵槽７内の処理済みの有機ゴミ（有機肥料）を残さず排出口５から排出するためのガイド部材となる。
【００５０】
図６に示すように、各隆起部３５の内部にヒーター３６を設けたので、発酵槽７内に投入された有機ゴミの含水率が非常に高い場合など、吸気ヒーター２３および発酵熱のみでは槽７内の温度を好気性微生物が活性化する温度まで上げられないとき、槽７内の有機ゴミを好気性微生物が活性化する温度まで加熱できる。発酵槽７内の有機ゴミは、撹拌アーム９の回転によって隆起部３５の表面に押し付けられて滑るため、隆起部３５内に設けられたヒーター３６の熱が、有機ゴミに効率よく伝達される。また、ヒーター３６は、槽容量として実質的には寄与することができないデッドスペースに配設されているため、業務用の有機ゴミ処理装置１として槽容量を最大限に拡大できる。
【００５１】
図５に示すように、直方体形状の発酵槽７には、空気流入ダクト２４（空気流入孔）と空気排出ダクト２７（空気排出孔）とが対角の位置に配設されているので、空気流入孔２４から発酵槽７内に導入された空気は、槽７内を対角線の方向に流れ、その途中で撹拌アーム９の回転により生じた風によって有機ゴミおよび好気性微生物と適切に混合されて好気性微生物に供給される。
【００５２】
以上、添付図面を参照しつつ本考案の好適な実施形態について説明したが、本考案は上述した各実施形態に限定されないことは勿論であり、実用新案登録請求の範囲に記載された範疇における各種の変更例又は修正例についても、本考案の技術的範囲に属することは言うまでもない。
【産業上の利用可能性】
【００５３】
本考案は、生ゴミや野菜屑などの有機ゴミを好気性微生物によって分解し、有機肥料に変換する有機ゴミ処理装置に利用できる。
【符号の説明】
【００５４】
１  有機ゴミ処理装置
１ａ  パネルレス装置
２  投入口
５  排出口
７  発酵槽
８  回転シャフト
９  撹拌アーム
９ａ  回転軌跡
１０  駆動機構
１１  吸気ブロワ
１２  排気ブロワ
１３  吸気加熱機構
１４  排気消臭機構
２４  空気流入孔（空気流入ダクト）
２７  空気排出孔（空気排出ダクト）
３５  隆起部
３６  ヒーター
【図１】
0003216051.tif 000003
【図２】
0003216051.tif 000004
【図３】
0003216051.tif 000005
【図４】
0003216051.tif 000006
【図５】
0003216051.tif 000007
【図６】
0003216051.tif 000008